(57)【要約】本発明は、使用者が、生体情報だけでなく、物の摂取に関して自らが行うベき健康管理の状況を考慮した適切なアドバイスを受けることを可能にするものである。  使用者が摂取する食品の包装容器等に明示された食品の成分・含有カロリー等の食品情報を入力する食品情報入力手段３によって患者端末装置４に入力し、食品情報を通信回線２を通じてサーバー装置１に送信するようにしたものである。【特許請求の範囲】
【請求項１】
生体情報を収集する機能を有する情報端末であって、
使用者が摂取する物の摂取情報を入力する情報入力手段と、
入力された摂取情報を記憶する情報記憶手段と、
記憶された摂取情報を送信する情報送信手段と、
を備える情報端末。
【請求項２】
前記情報入力手段には、前記摂取情報を読み取るものを含むことを特徴とする請求項１記載の情報端末。
【請求項３】
前記情報入力手段には、前記使用者が摂取する物の包装容器等に付与されたバーコードを読み取るバーコードリーダーを含むことを特徴とする請求項２記載の情報端末。
【請求項４】
前記情報入力手段には、前記使用者が摂取する物の包装容器等に付与された電子タグから前記摂取情報を読み込む読込手段を含むことを特徴とする請求項２記載の情報端末。
【請求項５】
前記情報入力手段に入力する情報には、前記使用者がその物を摂取する時刻や摂取量等の情報を含むことを特徴とする請求項１〜４のいずれか１項に記載の情報端末。
【請求項６】
前記情報入力手段は、取り外し可能に端末本体に装着され、入力された情報を記憶する記憶手段と、記憶した情報を端末本体に送信する送信手段とを有することを特徴とする請求項１〜５のいずれか１項に記載の情報端末。
【請求項７】
送信した情報に基づくアドバイス情報を受信する情報受信手段を備えることを特徴とする請求項１〜６のいずれか一項記載の情報端末。
【請求項８】
前記アドバイス情報には、摂取すべき食品又は服用すべき薬品のリスト、これらの申し込み案内情報、及び、最適な病院名又は医師名の情報の少なくとも一つが含まれることを特徴とする請求項７記載の情報端末。
【請求項９】
前記アドバイス情報を選択し、選択した内容を送信するための選択手段を備えることを特徴とする請求項７又は８記載の情報端末。
【請求項１０】
請求項１〜９のいずれか一項記載の情報端末と、
前記情報端末から送信された情報の受信、受信した情報に基づくアドバイス情報の前記情報端末への送信を通信回線を介して行う通信手段を含むアドバイス情報提供側情報端末と、
を備える健康管理支援システム。
【請求項１１】
前記通信回線はインターネットを含むことを特徴とする請求項１０に記載の健康管理支援システム。
【請求項１２】
前記アドバイス情報提供側端末は、食品の手配、薬品の手配、病院の手配及び医師の手配のうち少なくとも一つの手配を行う手配手段を備えることを特徴とする請求項１０又は１１記載の健康管理支援システム。
【請求項１３】
請求項９記載の情報端末と、
前記情報端末から送信された情報の受信、受信した情報に基づくアドバイス情報の前記情報端末への送信を通信回線を介して行う通信手段を含むアドバイス情報提供側情報端末と、を備え、
前記アドバイス情報提供側情報端末は、前記選択手段で選択された情報に基づいて、食品の手配、薬品の手配、病院の手配及び医師の手配のうち少なくとも一つの手配を行う手配手段を備えることを特徴とする健康管理支援システム。
【発明の詳細な説明】
【技術分野】
【０００１】  本発明は、生体情報を収集する機能を有する情報端末及びこの情報端末を備える健康管理支援システムに関する。
【背景技術】
【０００２】  従来、健康管理を必要とする使用者の生体の測定情報や医師等による問診の回答の情報を含む健康情報等を収集する患者端末装置と、通信回線を通じてその健康情報等を受信する生体情報受信装置とで構成された健康管理支援システムが研究されている。従来のこの種の健康管理支援システムは、生体の測定情報を生体情報受信装置であるサーバー装置で受信する構成が一般的であった（特許文献１参照）。【０００３】  図５は、従来の健康管理支援システムのシステム図であり、上記公報に記載の装置（以下、電子救急箱という）を用いた従来の健康管理支援システムを示す。生体情報収集装置である電子救急箱２１は血圧計２２、心電計２３，耳孔体温計２４，血糖計２５、電子スコープ２６等を内部に収納する構成としている。またディスプレイ２７，スピーカ２８，マイク２９等も内蔵している。使用者は耳孔体温計２４や血圧計２２等で測定した体温や血圧値といった測定情報（生体情報）を生体情報収集装置である電子救急箱２１に収集する。問診回答情報や測定情報１０はこの電子救急箱２１に接続した電話回線等の通信網２で接続されている医療機関等に設置した生体情報受信装置であるサーバー装置１に送るように構成されている。【０００４】  しかしながら、このような従来の健康管理支援システムで、生体情報収集装置が、体温や血圧値といった使用者の現在の生体情報を生体情報受信装置に送るものであるため、受信した医療機関等では、使用者に対して、現在の健康状態に基づくアドバイスはできても、使用者自らが行うべき健康管理の状況を考慮した適切な指導、即ち、十分な健康アドバイスができていないという事情がある。【０００５】
【特許文献１】特開２０００−８３９０７号公報
【発明の開示】
【発明が解決しようとする課題】
【０００６】  本発明は、上記事情に鑑みてなされたものであって、使用者が、生体情報だけでなく、物の摂取に関して自らが行うべき健康管理の状況を考慮した適切なアドバイスを受けることが可能になる情報端末及びこの情報端末を備える健康管理支援システムを提供することを目的とする。
【課題を解決するための手段】
【０００７】  本発明の情報端末は、生体情報を収集する機能を有する情報端末であって、使用者が摂取する物の摂取情報を入力する情報入力手段と、入力された摂取情報を記憶する情報記憶手段と、記憶された摂取情報を送信する情報送信手段と、を備える。上記構成によれば、使用者が摂取する物の摂取情報を入力する情報入力手段を備えることにより、摂取情報及び生体情報を病院等にある情報端末へ送信できる為、使用者は、生体情報だけでなく、食品や薬品等の物の摂取に関して自らが行うべき健康管理の状況を考慮した適切なアドバイスを受けることが可能になる。【０００８】  また、本発明の情報端末は、前記情報入力手段には、前記摂取情報を読み取るものを含むことを特徴とする。また、本発明の情報端末は、前記情報入力手段には、前記使用者が摂取する物の包装容器等に付与されたバーコードを読み取るバーコードリーダーを含むことを特徴とする。また、本発明の情報端末は、前記情報入力手段には、前記使用者が摂取する物の包装容器等に付与された電子タグから前記摂取情報を読み込む読込手段を含むことを特徴とする。上記構成によれば、摂取情報を読み取ることにより、摂取情報を自動的に入力することができるので、入力値の間違いや必要項目の欠如等の誤りがなくなり、間違いなく確実に入力できる。また、食品等の包装紙等に記載の情報の誤入力や煩わしさを低減することができより一層確実に簡便に使用できる。【０００９】  また、本発明の情報端末は、前記情報入力手段に入力する情報には、前記使用者がその物を摂取する時刻や摂取量等の情報を含むことを特徴とする。【００１０】  また、本発明の情報端末は、前記情報入力手段が、取り外し可能に端末本体に装着され、入力された情報を記憶する記憶手段と、記憶した情報を端末本体に送信する送信手段とを有することを特徴とする。上記構成によれば、情報端末本体を持ち運ぶことなく情報入力手段のみを持ち運ぶことにより、外出先での使用が可能となる。【００１１】  また、本発明の情報端末は、送信した情報に基づくアドバイス情報を受信する情報受信手段を備えることを特徴とする。また、本発明の情報端末は、前記アドバイス情報には、摂取すべき食品又は服用すべき薬品のリスト、これらの申し込み案内情報、及び、最適な病院名又は医師名の情報の少なくとも一つが含まれることを特徴とする。上記構成によれば、送信した情報に基づくアドバイス情報を受信することにより、郵送・電話等を使うことなく、使用者に対して確実にアドバイス情報を伝えることができる。【００１２】  また、本発明の情報端末は、前記アドバイス情報を選択し、選択した内容を送信するための選択手段を備えることを特徴とする。上記構成によれば、受信したアドバイス情報からいずれの内容を選択したかを病院等にある情報端末へ通知することができる為、病院等では、受信した情報に基づいて、食品の手配、薬品の手配、病院の手配及び医師の手配等を行うことが可能となる。【００１３】  また、本発明の健康管理システムは、本発明の情報端末と、前記情報端末から送信された情報の受信、受信した情報に基づくアドバイス情報の前記情報端末への送信を通信回線を介して行う通信手段を含むアドバイス情報提供側情���端末と、を備える。また、本発明の健康管理システムは、前記通信回線がインターネットを含むことを特徴とする。【００１４】  さらに、本発明の健康管理システムは、前記アドバイス情報提供側端末が、食品の手配、薬品の手配、病院の手配及び医師の手配のうち少なくとも一つの手配を行う手配手段を備えることを特徴とする。
【発明の効果】
【００１５】  本発明によれば、使用者が摂取する物の摂取情報を入力することにより、摂取情報及び生体情報を病院等にある情報端末へ送信できる為、使用者は、生体情報だけでなく、物の摂取に関して自らが行うべき健康管理の状況を考慮した適切なアドバイスを受けることが可能になる。
【図面の簡単な説明】
【００１６】
【図１】本発明第１の実施の形態における健康管理支援システムのシステム図
【図２】本発明第２の実施の形態における健康管理支援システムのシステム図
【図３】本発明第２の実施の形態におけるアドバイス情報を選択し、選択した内容を送信するための選択手段を有する患者端末装置の操作標示部の外観図
【図４】本発明第４の実施の形態における健康管理支援システムの食品情報入力手段３の構成図
【図５】従来の健康管理支援システムのシステム図
【符号の説明】
【００１７】１      サーバー装置
２      通信回線
３      食品情報入力手段
３１    食品情報記憶手段
３２    送信手段
４      患者端末装置
４１    操作部（カーソルアップキー）
４２    操作部（カーソルダウンキー）
４３    操作部（設定キー）
４４    表示部に表示されるアドバイス情報
４５    表示部に表示されるカーソル
５      食品情報（患者端末装置→生体情報収集装置）
６      医師側端末装置
７      健康アドバイス情報（医師側端末装置→患者端末装置）
【発明を実施するための最良の形態】
【００１８】  以下発明の実施の形態について、図面を参照しながら説明する。【００１９】（実施の形態１）
図１は、本発明第１の実施の形態における健康管理支援システムのシステム図である。図１において図５と同じ構成要素については同じ符号を用い、説明を省略する。【００２０】  図１に示す健康管理支援システムは、患者（使用者）の生体情報を収集する機能を有する患者端末装置４と、患者端末装置４から送信された情報の受信、受信した情報に基づくアドバイス情報の患者端末装置４への送信を通信回線２を介して行う通信手段（図示せず）を含み、患者の情報を収集するサーバー装置１とを備える。患者端末装置４は、健康管理を必要とする患者（使用者）の自宅等に設置され、サーバー装置１は、病院等に設置される。図１で、３は患者端末装置４に組み込まれたキーボード等の食品情報入力手段であり、使用者が摂取する食品の摂取情報（食品情報）を入力するものである。使用者は食品情報入力手段３を使用して食品情報を入力する。そして入力された食品情報は、患者端末装置４に設けられた記憶手段（図示せず）に記録される。患者端末装置４は、サーバー装置１に接続され、記憶した生体情報及び食品情報をインターネット等の通信回線２を介してサーバー装置１に送信する。【００２１】  この構成によれば患者端末装置４を介して食品情報等を病院等にあるサーバー装置１へ送信できる為、食品情報を健康管理支援システムの管理者（本システムを管理運営する管理者とは別の医学的知識を有する個人や団体である医師や病院であってもよい）に的確に伝えることができ、管理者からこの情報に基づくアドバイスを受けることができる。これにより、使用者は、生体情報だけでなく、物の摂取に関して自らが行うべき健康管理の状況を考慮した適切なアドバイスを受けることが可能になり、より一層適切な健康管理の指導を受けることができる。【００２２】  尚、本実施の形態において、食品情報入力手段はキーボードとしたが、タッチパネルや音声入力であっても良い。また、通信回線２は、電話回線であっても、インターネットであっても、また有線であっても無線であっても良い。【００２３】（実施の形態２）
図２は、本発明第２の実施の形態における健康管理支援システムのシステム図である。図２において図１・図５と同じ構成要素については同じ符号を用い、説明を省略する。【００２４】  図２で、６は医師側端末装置であり、患者端末装置４から送信された情報を受信するサーバー装置１に接続される。医師等は、医師側端末装置６を介して各患者の食品情報を確認する。その食品情報を確認の上、各患者に対して健康アドバイス情報７を医師側端末装置６から患者端末装置４へ送信する。【００２５】  この構成によれば、管理者や医師等は、同一システム内で健康に関する指導・アドバイスを行うため、郵送・電話等別の仕組みを使う必要なく、患者に対して確実に健康に関する指導・アドバイスを行うことができる。なお、健康アドバイスの内容を、患者が罹っている病気の種類やレベルによって変えることにより、より適切な健康アドバイスが可能となり、アドバイス内容の充実を図ることができる。そして健康アドバイス情報に、使用者が摂取すべき食品や服用すべき薬品のリスト及びこれらの申し込み情報や、最適な病院名や医師名の情報等を含めれば、使用者にとって非常に便利である。そしてさらに、医師側情報端末において、これらの情報に基づいて、使用者が摂取すべき食品や服用すべき薬品の申し込みや最適な病院や医師の手配を自動的に行うようにすれば、使用者が自ら手配を行う必要がなくなるので、非常に便利である。【００２６】  また、図３は、本発明第２の実施の形態におけるアドバイス情報を選択し、選択した内容を送信するための選択手段を有する患者端末装置の操作標示部の外観図である。【００２７】  図３で、４１〜４３は操作部（選択手段）である。また、４４は健康アドバイス情報（本例では薬品情報）、４５は健康アドバイス情報を選択するためのカーソルであり、表示部に表示されている。操作部４１は、カーソル４５を上方に移動するカーソルアップキー、操作部４２は、カーソル４５を下方に移動するカーソルダウンキー、操作部４３は、カーソル４５で選択された（カーソル４５が指し示す）健康アドバイス情報をサーバー装置１に送信するための設定キーである。【００２８】  この構成によれば、使用者は自らの意思で、患者端末装置４に表示された健康アドバイス情報４４の服用すべき薬品群の中から、商品名・メーカー名・価格等から自分に適したと思われるものを操作部４１と４２を用いて選択し、操作部４３を押すことにより、選択した内容をサーバー装置１に送信する。一方、医師側端末装置６が、患者端末装置４で選択された情報に基づいて、食品の手配、薬品の手配、病院の手配及び医師の手配のうち少なくとも一つの手配を行う手配手段を備えることにより、患者端末装置４で選択された情報を受信した医師側端末装置６では、使用者が選択した情報に基づいて薬品メーカーに対する注文の手配等を行うことができる。なお、本例では健康アドバイス情報として薬品の情報を例示したが、摂取すべき食品や、使用者に最適な病院名や医師名等の情報であってもよい。【００２９】（実施の形態３）
本実施の形態では、食品情報入力手段３として、食品の包装等に記載されたバーコードを読み取るバーコードリーダー（図示せず）や食品や食品の包装等に取り付けられた電子タグを読み取る読取装置（図示せず）を用いる。【００３０】  この構成によれば、読み取ることによって食品情報を自動的に入力することができるので、食品の包装等に印刷してある文字情報を使用者が読み取り、キーボード等を用いて文字の入力や音声の入力を行う必要がなくなるため、間違いなく確実に食品情報を患者端末装置４に入力することができる。従って、誤って入力された食品情報に基づく使用者への誤った指導を未然に防止でき、より正しい精度の良い適切な健康アドバイスが可能となる。特に、電子タグを読み取ることにより、より多くの情報量の収集が可能となる。さらに読取装置を電子タグの近傍に位置させるだけで電子タグからの情報の入力が可能となり、食品情報の入力時に特段の注意を払う必要がなく非常に便利である。患者自身が行うことになる食品情報の入力においては非常に大切なことである。【００３１】（実施の形態４）
図４は、本発明第４の実施の形態における食品情報入力手段３の構成図である。本実施の形態では、食品情報入力手段３に食品情報記憶手段３１と患者端末装置への送信手段３２を付加することにより、患者端末装置４から取り外し可能な構成としたものである。例えば使用者が旅行等で、食品情報入力手段３を患者端末装置４から取り外して使用した場合、入力された食品情報は食品情報記憶手段３１に記憶される。そして使用者が帰宅後、送信手段３２を介して患者端末装置４に食品情報を送信する。【００３２】  この構成によれば、使用者が旅行等で移動するときにおいても、患者端末装置４本体を持ち運ぶことなく、取り外し可能な食品情報入力手段３のみを所持すれば移動先においても容易に食品情報を収集することができる。かかる構成により食品情報入力手段を持ち運んで使用することができるようになり、旅行等で外出する際においても使用が可能となる。【００３３】  なお、食品情報に加えて、使用者が摂取した食品の量や、使用者が食品を摂取する時刻の情報を入力してもよい。これにより、より一層適切な指導を受けることが可能となる。【００３４】  また、患者端末装置４とサーバー装置１とをインターネットを含む通信回線で接続することにより、遠隔地からの接続においても非常に安価にその通信回線の使用が可能となり、安価なシステムの実現が可能となる。【００３５】  また、以上の説明では、健康管理を必要とする使用者が摂取する食品の情報を本健康管理支援システムの管理者に伝える例を説明したが、同様に食品情報の代わりに前述したように使用者が摂取する薬剤の情報を管理者に伝えるという用途にも適用できる。【００３６】  上述した健康管理支援システムは、健康管理を必要とする使用者が摂取する食品の情報を本健康管理支援システムを管理する医師等の管理者に的確に伝えることができることにより、管理者からより適切な健康に関する指導を受けることができるという非常に大きな効果を得る事ができる。特に多くの食品に成分やカロリーが記載されている昨今、またほぼ完成された（調理する必要が少ない）状態のインスタント食品等を頻繁に活用する現代においては、非常に有効である。【００３７】  また、食品情報入力手段には食品の包装等に記載されたバーコードを読み取るバーコードリーダーや電子タグを含む構成とすることで使用者の誤入力を防ぎ、この誤入力による誤った指導を防ぐことが可能となり、一層適切な指導ができるという効果を有する。【００３８】  さらに食品情報入力手段に入力する情報には、その食品の摂取時刻や摂取量等の摂取情報を含む構成にすることにより指導の精度を上げ一層的確な指導が可能となる。【００３９】  また、食品情報入力手段を取り外し可能な構成とすることで、外出する場合も食品情報入力手段のみを携行することで食品情報の入力を継続して行うことが可能となる。糖尿病等の慢性疾患等の何日も継続して行うことに意義がある食品情報の収集には、非常に大きな効果を有する。【００４０】  本発明を詳細にまた特定の実施態様を参照して説明したが、本発明の精神と範囲を逸脱することなく様々な変更や修正を加えることができることは当業者にとって明らかである。
本出願は、２００４年７月１日出願の日本特許出願（特願２００４−１９５３７５）に基づくものであり、その内容はここに参照として取り込まれる。
【産業上の利用可能性】
【００４１】  本発明の情報端末及び健康管理支援システムは、摂取情報及び生体情報を病院等にある情報端末へ送信できる為、使用者は、生体情報だけでなく、物の摂取に関して自らが行うべき健康管理の状況を考慮した適切なアドバイスを受けることが可能になるという効果を有し、生体情報を収集する機能を有する情報端末及びこの情報端末を備える健康管理支援システム等に有用である。
【図１】
2006004049.tif 000002
【図２】
2006004049.tif 000003
【図３】
2006004049.tif 000004
【図４】
2006004049.tif 000005
【図５】
2006004049.tif 000006
【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
生体情報を収集する機能を有する情報端末であって、
使用者が摂取する物の摂取情報を入力する情報入力手段と、
入力された摂取情報を記憶する情報記憶手段と、
記憶された摂取情報を送信する情報送信手段と、
を備える情報端末。
【請求項２】
前記情報入力手段には、前記摂取情報を読み取るものを含むことを特徴とする請求項１記載の情報端末。
【請求項３】
前記情報入力手段には、前記使用者が摂取する物の包装容器等に付与されたバーコードを読み取るバーコードリーダーを含むことを特徴とする請求項２記載の情報端末。
【請求項４】
前記情報入力手段には、前記使用者が摂取する物の包装容器等に付与された電子タグから前記摂取情報を読み込む読込手段を含むことを特徴とする請求項２記載の情報端末。
【請求項５】
前記情報入力手段に入力する情報には、前記使用者がその物を摂取する時刻や摂取量等の情報を含むことを特徴とする請求項１〜４のいずれか１項に記載の情報端末。
【請求項６】
前記情報入力手段は、取り外し可能に端末本体に装着され、入力された情報を記憶する記憶手段と、記憶した情報を端末本体に送信する送信手段とを有することを特徴とする請求項１〜５のいずれか１項に記載の情報端末。
【請求項７】
送信した情報に基づくアドバイス情報を受信する情報受信手段を備えることを特徴とする請求項１〜６のいずれか一項記載の情報端末。
【請求項８】
前記アドバイス情報には、摂取すべき食品又は服用すべき薬品のリスト、これらの申し込み案内情報、及び、最適な病院名又は医師名の情報の少なくとも一つが含まれることを特徴とする請求項７記載の情報端末。
【請求項９】
前記アドバイス情報を選択し、選択した内容を送信するための選択手段を備えることを特徴とする請求項７又は８記載の情報端末。
【請求項１０】
請求項１〜９のいずれか一項記載の情報端末と、
前記情報端末から送信された情報の受信、受信した情報に基づくアドバイス情報の前記情報端末への送信を通信回線を介して行う通信手段を含むアドバイス情報提供側情報端末と、
を備える健康管理支援システム。
【請求項１１】
前記通信回線はインターネットを含むことを特徴とする請求項１０に記載の健康管理支援システム。
【請求項１２】
前記アドバイス情報提供側端末は、食品の手配、薬品の手配、病院の手配及び医師の手配のうち少なくとも一つの手配を行う手配手段を備えることを特徴とする請求項１０又は１１記載の健康管理支援システム。
【請求項１３】
請求項９記載の情報端末と、
前記情報端末から送信された情報の受信、受信した情報に基づくアドバイス情報の前記情報端末への送信を通信回線を介して行う通信手段を含むアドバイス情報提供側情報端末と、を備え、
前記アドバイス情報提供側情報端末は、前記選択手段で選択された情報に基づいて、食品の手配、薬品の手配、病院の手配及び医師の手配のうち少なくとも一つの手配を行う手配手段を備えることを特徴とする健康管理支援システム。
【手続補正２】
【補正対象書類名】明細書
【補正対象項目名】全文
【補正方法】変更
【補正の内容】
【発明の詳細な説明】
【技術分野】
【０００１】
本発明は、生体情報を収集する機能を有する情報端末及びこの情報端末を備える健康管理支援システムに関する。
【背景技術】
【０００２】
従来、健康管理を必要とする使用者の生体の測定情報や医師等による問診の回答の情報を含む健康情報等を収集する患者端末装置と、通信回線を通じてその健康情報等を受信する生体情報受信装置とで構成された健康管理支援システムが研究されている。従来のこの種の健康管理支援システムは、生体の測定情報を生体情報受信装置であるサーバー装置で受信する構成が一般的であった（特許文献１参照）。
【０００３】
図５は、従来の健康管理支援システムのシステム図であり、上記公報に記載の装置（以下、電子救急箱という）を用いた従来の健康管理支援システムを示す。生体情報収集装置である電子救急箱２１は血圧計２２、心電計２３，耳孔体温計２４，血糖計２５、電子スコープ２６等を内部に収納する構成としている。またディスプレイ２７，スピーカ２８，マイク２９等も内蔵している。使用者は耳孔体温計２４や血圧計２２等で測定した体温や血圧値といった測定情報（生体情報）を生体情報収集装置である電子救急箱２１に収集する。問診回答情報や測定情報１０はこの電子救急箱２１に接続した電話回線等の通信網２で接続されている医療機関等に設置した生体情報受信装置であるサーバー装置１に送るように構成されている。
【０００４】
しかしながら、このような従来の健康管理支援システムで、生体情報収集装置が、体温や血圧値といった使用者の現在の生体情報を生体情報受信装置に送るものであるため、受信した医療機関等では、使用者に対して、現在の健康状態に基づくアドバイスはできても、使用者自らが行うべき健康管理の状況を考慮した適切な指導、即ち、十分な健康アドバイスができていないという事情がある。
【０００５】
【特許文献１】特開２０００−８３９０７号公報
【発明の開示】
【発明が解決しようとする課題】
【０００６】
本発明は、上記事情に鑑みてなされたものであって、使用者が、生体情報だけでなく、物の摂取に関して自らが行うべき健康管理の状況を考慮した適切なアドバイスを受けることが可能になる情報端末及びこの情報端末を備える健康管理支援システムを提供することを目的とする。
【課題を解決するための手段】
【０００７】
本発明の情報端末は、生体情報を収集する機能を有する情報端末であって、使用者が摂取する物の摂取情報を入力する情報入力手段と、入力された摂取情報を記憶する情報記憶手段と、記憶された摂取情報を送信する情報送信手段と、を備える。上記構成によれば、使用者が摂取する物の摂取情報を入力する情報入力手段を備えることにより、摂取情報及び生体情報を病院等にある情報端末へ送信できる為、使用者は、生体情報だけでなく、食品や薬品等の物の摂取に関して自らが行うべき健康管理の状況を考慮した適切なアドバイスを受けることが可能になる。
【０００８】
また、本発明の情報端末は、前記情報入力手段には、前記摂取情報を読み取るものを含むことを特徴とする。また、本発明の情報端末は、前記情報入力手段には、前記使用者が摂取する物の包装容器等に付与されたバーコードを読み取るバーコードリーダーを含むことを特徴とする。また、本発明の情報端末は、前記情報入力手段には、前記使用者が摂取する物の包装容器等に付与された電子タグから前記摂取情報を読み込む読込手段を含むことを特徴とする。上記構成によれば、摂取情報を読み取ることにより、摂取情報を自動的に入力することができるので、入力値の間違いや必要項目の欠如等の誤りがなくなり、間違いなく確実に入力できる。また、食品等の包装紙等に記載の情報の誤入力や煩わしさを低減することができより一層確実に簡便に使用できる。
【０００９】
また、本発明の情報端末は、前記情報入力手段に入力する情報には、前記使用者がその物を摂取する時刻や摂取量等の情報を含むことを特徴とする。
【００１０】
また、本発明の情報端末は、前記情報入力手段が、取り外し可能に端末本体に装着され、入力された情報を記憶する記憶手段と、記憶した情報を端末本体に送信する送信手段とを有することを特徴とする。上記構成によれば、情報端末本体を持ち運ぶことなく情報入力手段のみを持ち運ぶことにより、外出先での使用が可能となる。
【００１１】
また、本発明の情報端末は、送信した情報に基づくアドバイス情報を受信する情報受信手段を備えることを特徴とする。また、本発明の情報端末は、前記アドバイス情報には、摂取すべき食品又は服用すべき薬品のリスト、これらの申し込み案内情報、及び、最適な病院名又は医師名の情報の少なくとも一つが含まれることを特徴とする。上記構成によれば、送信した情報に基づくアドバイス情報を受信することにより、郵送・電話等を使うことなく、使用者に対して確実にアドバイス情報を伝えることができる。
【００１２】
また、本発明の情報端末は、前記アドバイス情報を選択し、選択した内容を送信するための選択手段を備えることを特徴とする。上記構成によれば、受信したアドバイス情報からいずれの内容を選択したかを病院等にある情報端末へ通知することができる為、病院等では、受信した情報に基づいて、食品の手配、薬品の手配、病院の手配及び医師の手配等を行うことが可能となる。
【００１３】
また、本発明の健康管理システムは、本発明の情報端末と、前記情報端末から送信された情報の受信、受信した情報に基づくアドバイス情報の前記情報端末への送信を通信回線を介して行う通信手段を含むアドバイス情報提供側情報端末と、を備える。また、本発明の健康管理システムは、前記通信回線がインターネットを含むことを特徴とする。
【００１４】
さらに、本発明の健康管理システムは、前記アドバイス情報提供側端末が、食品の手配、薬品の手配、病院の手配及び医師の手配のうち少なくとも一つの手配を行う手配手段を備えることを特徴とする。
【発明の効果】
【００１５】
本発明によれば、使用者が摂取する物の摂取情報を入力することにより、摂取情報及び生体情報を病院等にある情報端末へ送信できる為、使用者は、生体情報だけでなく、物の摂取に関して自らが行うべき健康管理の状況を考慮した適切なアドバイスを受けることが可能になる。
【発明を実施するための最良の形態】
【００１６】
以下発明の実施の形態について、図面を参照しながら説明する。
【００１７】
（実施の形態１）
図１は、本発明第１の実施の形態における健康管理支援システムのシステム図である。図１において図５と同じ構成要素については同じ符号を用い、説明を省略する。
【００１８】
図１に示す健康管理支援システムは、患者（使用者）の生体情報を収集する機能を有する患者端末装置４と、患者端末装置４から送信された情報の受信、受信した情報に基づくアドバイス情報の患者端末装置４への送信を通信回線２を介して行う通信手段（図示せず）を含み、患者の情報を収集するサーバー装置１とを備える。患者端末装置４は、健康管理を必要とする患者（使用者）の自宅等に設置され、サーバー装置１は、病院等に設置される。図１で、３は患者端末装置４に組み込まれたキーボード等の食品情報入力手段であり、使用者が摂取する食品の摂取情報（食品情報）を入力するものである。使用者は食品情報入力手段３を使用して食品情報を入力する。そして入力された食品情報は、患者端末装置４に設けられた記憶手段（図示せず）に記録される。患者端末装置４は、サーバー装置１に接続され、記憶した生体情報及び食品情報をインターネット等の通信回線２を介してサーバー装置１に送信する。
【００１９】
この構成によれば患者端末装置４を介して食品情報等を病院等にあるサーバー装置１へ送信できる為、食品情報を健康管理支援システムの管理者（本システムを管理運営する管理者とは別の医学的知識を有する個人や団体である医師や病院であってもよい）に的確に伝えることができ、管理者からこの情報に基づくアドバイスを受けることができる。これにより、使用者は、生体情報だけでなく、物の摂取に関して自らが行うべき健康管理の状況を考慮した適切なアドバイスを受けることが可能になり、より一層適切な健康管理の指導を受けることができる。
【００２０】
尚、本実施の形態において、食品情報入力手段はキーボードとしたが、タッチパネルや音声入力であっても良い。また、通信回線２は、電話回線であっても、インターネットであっても、また有線であっても無線であっても良い。
【００２１】
（実施の形態２）
図２は、本発明第２の実施の形態における健康管理支援システムのシステム図である。図２において図１・図５と同じ構成要素については同じ符号を用い、説明を省略する。
【００２２】
図２で、６は医師側端末装置であり、患者端末装置４から送信された情報を受信するサーバー装置１に接続される。医師等は、医師側端末装置６を介して各患者の食品情報を確認する。その食品情報を確認の上、各患者に対して健康アドバイス情報７を医師側端末装置６から患者端末装置４へ送信する。
【００２３】
この構成によれば、管理者や医師等は、同一システム内で健康に関する指導・アドバイスを行うため、郵送・電話等別の仕組みを使う必要なく、患者に対して確実に健康に関する指導・アドバイスを行うことができる。なお、健康アドバイスの内容を、患者が罹っている病気の種類やレベルによって変えることにより、より適切な健康アドバイスが可能となり、アドバイス内容の充実を図ることができる。そして健康アドバイス情報に、使用者が摂取すべき食品や服用すべき薬品のリスト及びこれらの申し込み情報や、最適な病院名や医師名の情報等を含めれば、使用者にとって非常に便利である。そしてさらに、医師側情報端末において、これらの情報に基づいて、使用者が摂取すべき食品や服用すべき薬品の申し込みや最適な病院や医師の手配を自動的に行うようにすれば、使用者が自ら手配を行う必要がなくなるので、非常に便利である。
【００２４】
また、図３は、本発明第２の実施の形態におけるアドバイス情報を選択し、選択した内容を送信するための選択手段を有する患者端末装置の操作標示部の外観図である。
【００２５】
図３で、４１〜４３は操作部（選択手段）である。また、４４は健康アドバイス情報（本例では薬品情報）、４５は健康アドバイス情報を選択するためのカーソルであり、表示部に表示されている。操作部４１は、カーソル４５を上方に移動するカーソルアップキー、操作部４２は、カーソル４５を下方に移動するカーソルダウンキー、操作部４３は、カーソル４５で選択された（カーソル４５が指し示す）健康アドバイス情報をサーバー装置１に送信するための設定キーである。
【００２６】
この構成によれば、使用者は自らの意思で、患者端末装置４に表示された健康アドバイス情報４４の服用すべき薬品群の中から、商品名・メーカー名・価格等から自分に適したと思われるものを操作部４１と４２を用いて選択し、操作部４３を押すことにより、選択した内容をサーバー装置１に送信する。一方、医師側端末装置６が、患者端末装置４で選択された情報に基づいて、食品の手配、薬品の手配、病院の手配及び医師の手配のうち少なくとも一つの手配を行う手配手段を備えることにより、患者端末装置４で選択された情報を受信した医師側端末装置６では、使用者が選択した情報に基づいて薬品メーカーに対する注文の手配等を行うことができる。なお、本例では健康アドバイス情報として薬品の情報を例示したが、摂取すべき食品や、使用者に最適な病院名や医師名等の情報であってもよい。
【００２７】
（実施の形態３）
本実施の形態では、食品情報入力手段３として、食品の包装等に記載されたバーコードを読み取るバーコードリーダー（図示せず）や食品や食品の包装等に取り付けられた電子タグを読み取る読取装置（図示せず）を用いる。
【００２８】
この構成によれば、読み取ることによって食品情報を自動的に入力することができるので、食品の包装等に印刷してある文字情報を使用者が読み取り、キーボード等を用いて文字の入力や音声の入力を行う必要がなくなるため、間違いなく確実に食品情報を患者端末装置４に入力することができる。従って、誤って入力された食品情報に基づく使用者への誤った指導を未然に防止でき、より正しい精度の良い適切な健康アドバイスが可能となる。特に、電子タグを読み取ることにより、より多くの情報量の収集が可能となる。さらに読取装置を電子タグの近傍に位置させるだけで電子タグからの情報の入力が可能となり、食品情報の入力時に特段の注意を払う必要がなく非常に便利である。患者自身が行うことになる食品情報の入力においては非常に大切なことである。
【００２９】
（実施の形態４）
図４は、本発明第４の実施の形態における食品情報入力手段３の構成図である。本実施の形態では、食品情報入力手段３に食品情報記憶手段３１と患者端末装置への送信手段３２を付加することにより、患者端末装置４から取り外し可能な構成としたものである。例えば使用者が旅行等で、食品情報入力手段３を患者端末装置４から取り外して使用した場合、入力された食品情報は食品情報記憶手段３１に記憶される。そして使用者が帰宅後、送信手段３２を介して患者端末装置４に食品情報を送信する。
【００３０】
この構成によれば、使用者が旅行等で移動するときにおいても、患者端末装置４本体を持ち運ぶことなく、取り外し可能な食品情報入力手段３のみを所持すれば移動先においても容易に食品情報を収集することができる。かかる構成により食品情報入力手段を持ち運んで使用することができるようになり、旅行等で外出する際においても使用が可能となる。
【００３１】
なお、食品情報に加えて、使用者が摂取した食品の量や、使用者が食品を摂取する時刻の情報を入力してもよい。これにより、より一層適切な指導を受けることが可能となる。
【００３２】
また、患者端末装置４とサーバー装置１とをインターネットを含む通信回線で接続することにより、遠隔地からの接続においても非常に安価にその通信回線の使用が可能となり、安価なシステムの実現が可能となる。
【００３３】
また、以上の説明では、健康管理を必要とする使用者が摂取する食品の情報を本健康管理支援システムの管理者に伝える例を説明したが、同様に食品情報の代わりに前述したように使用者が摂取する薬剤の情報を管理者に伝えるという用途にも適用できる。
【００３４】
上述した健康管理支援システムは、健康管理を必要とする使用者が摂取する食品の情報を本健康管理支援システムを管理する医師等の管理者に的確に伝えることができることにより、管理者からより適切な健康に関する指導を受けることができるという非常に大きな効果を得る事ができる。特に多くの食品に成分やカロリーが記載されている昨今、またほぼ完成された（調理する必要が少ない）状態のインスタント食品等を頻繁に活用する現代においては、非常に有効である。
【００３５】
また、食品情報入力手段には食品の包装等に記載されたバーコードを読み取るバーコードリーダーや電子タグを含む構成とすることで使用者の誤入力を防ぎ、この誤入力による誤った指導を防ぐことが可能となり、一層適切な指導ができるという効果を有する。
【００３６】
さらに食品情報入力手段に入力する情報には、その食品の摂取時刻や摂取量等の摂取情報を含む構成にすることにより指導の精度を上げ一層的確な指導が可能となる。
【００３７】
また、食品情報入力手段を取り外し可能な構成とすることで、外出する場合も食品情報入力手段のみを携行することで食品情報の入力を継続して行うことが可能となる。糖尿病等の慢性疾患等の何日も継続して行うことに意義がある食品情報の収集には、非常に大きな効果を有する。
【００３８】
本発明を詳細にまた特定の実施態様を参照して説明したが、本発明の精神と範囲を逸脱することなく様々な変更や修正を加えることができることは当業者にとって明らかである。
本出願は、2004年7月1日出願の日本特許出願（特願2004−195375）に基づくものであり、その内容はここに参照として取り込まれる。
【産業上の利用可能性】
【００３９】
本発明の情報端末及び健康管理支援システムは、摂取情報及び生体情報を病院等にある情報端末へ送信できる為、使用者は、生体情報だけでなく、物の摂取に関して自らが行うべき健康管理の状況を考慮した適切なアドバイスを受けることが可能になるという効果を有し、生体情報を収集する機能を有する情報端末及びこの情報端末を備える健康管理支援システム等に有用である。
【図面の簡単な説明】
【００４０】
【図１】本発明第１の実施の形態における健康管理支援システムのシステム図
【図２】本発明第２の実施の形態における健康管理支援システムのシステム図
【図３】本発明第２の実施の形態におけるアドバイス情報を選択し、選択した内容を送信するための選択手段を有する患者端末装置の操作標示部の外観図
【図４】本発明第４の実施の形態における健康管理支援システムの食品情報入力手段３の構成図
【図５】従来の健康管理支援システムのシステム図
【符号の説明】
【００４１】
１      サーバー装置
２      通信回線
３      食品情報入力手段
３１    食品情報記憶手段
３２    送信手段
４      患者端末装置
４１    操作部（カーソルアップキー）
４２    操作部（カーソルダウンキー）
４３    操作部（設定キー）
４４    表示部に表示されるアドバイス情報
４５    表示部に表示されるカーソル
５      食品情報（患者端末装置→生体情報収集装置）
６      医師側端末装置
７      健康アドバイス情報（医師側端末装置→患者端末装置）
【手続補正３】
【補正対象書類名】図面
【補正対象項目名】全図
【補正方法】変更
【補正の内容】
【図１】
2006004049.tif 000007
【図２】
2006004049.tif 000008
【図３】
2006004049.tif 000009
【図４】
2006004049.tif 000010
【図５】
2006004049.tif 000011
【国際調査報告】
2006004049.tif 000012
2006004049.tif 000013
2006004049.tif 000014
2006004049.tif 000015